(57)【要約】【課題】ＰＯＮシステム及び光信号送受信制御方法に関し、所定のビットエラーレートとなるように送信光信号レベルを制御する。【解決手段】局側装置１と複数の光加入者線端局装置２との間を、光カプラ３を介して光伝送路により接続し、光信号により送受信処理を行うＰＯＮシステム及び光信号送受信制御方法であって、局側装置１の指示作成部１６により指定した光加入者線端局装置２に設けたＰＲＢＳ送信部２６から擬似ランダム信号を送信させ、局側装置１のＰＲＢＳ受信部１５によりその擬似ランダム信号を受信してビットエラーレートを測定し、指示作成部１６からビットエラーレートが所定範囲内となるように、光加入者線端局装置２の光信号送受信部２１からの送信光信号レベルを、出力レベル調整部２７により調整するように指示する構成及び制御過程を有する。【選択図】図１
2011160022.tif 000002
【特許請求の範囲】
【請求項１】
局側装置と複数の光加入者線端局装置との間を、光カプラを介して光伝送路により接続したＰＯＮシステムに於いて、
前記光加入者線端局装置は、前記局側装置に対してビットエラーレート測定用の擬似ランダム信号を発生して送信するＰＲＢＳ送信部と、前記局側装置からの指示情報を受信する指示受信部と、光信号を送受信する光信号送受信部とを含む構成を備え、
前記局側装置は、前記光加入者線端局装置からの前記擬似ランダム信号を受信してビットエラーレートを測定するＰＲＢＳ受信部と、該ＰＲＢＳ受信部によるビットエラーレート測定結果を基に前記光加入者線端局装置の送信制御の指示情報を送信する指示作成部と、光信号を送受信する光信号送受信部とを含む構成を備えた
ことを特徴とするＰＯＮシステム。
【請求項２】
前記局側装置は、指定した前記光加入者線端局装置からの擬似ランダム信号を受信してビットエラーレートを測定するＰＲＢＳ受信部と、該ＰＲＢＳ受信部によるビットエラーレート測定結果に基づいて、前記光加入者線端局装置の前記光信号送受信部からの送信光信号レベルを指示する指示作成部とを含む構成を備えたことを特徴とする請求項１記載のＰＯＮシステム。
【請求項３】
前記光加入者線端局装置は、前記局側装置の前記指示作成部からの指示情報を受信する指示受信部と、前記局側装置からのビットエラーレート測定用の擬似ランダム信号送信の指示情報に従って擬似ランダム信号を発生して送信するＰＲＢＳ送信部と、前記局側装置の前記指示作成部からの出力レベル制御指示の指示情報に従って前記局側装置に対する前記光信号送受信部からの送信光信号レベルを制御する出力レベル調整部とを含む構成を備えたことを特徴とする請求項１記載のＰＯＮシステム。
【請求項４】
前記局側装置は、指定した前記光加入者線端局装置からの擬似ランダム信号を受信してビットエラーレートを測定するＰＲＢＳ受信部と、該ＰＲＢＳ受信部によるビットエラーレート測定結果に基づいて前記光加入者線端局装置からのクロック再生用のヘッダ長を指示する指示作成部とを含むことを特徴とする請求項１記載のＰＯＮシステム。
【請求項５】
前記光加入者線端局装置は、前記局側装置の前記指示作成部からの指示情報を受信する指示受信部と、前記局側装置からのビットエラーレート測定用の擬似ランダム信号送信の指示情報に従って擬似ランダム信号を発生して送信するＰＲＢＳ送信部と、前記局側装置の前記指示作成部からのクロック再生用のヘッダ長指示に従って前記局側装置に送信するフレームに付加するヘッダ長を調整するヘッダ長調整部とを含む構成を備えたことを特徴とする請求項１記載のＰＯＮシステム。
【請求項６】
局側装置と複数の光加入者線端局装置との間を、光カプラを介して光伝送路により接続し、光信号により送受信処理を行うＰＯＮシステムに於ける光信号送受信制御方法に於いて、
前記局側装置は、前記光加入者線端局装置を指定して擬似ランダム信号送信指示と出力レベル指示とを行う指示作成部と、前記擬似ランダム信号を受信してビットエラーレートを測定するＰＲＢＳ受信部とを含む構成を有し、前記光加入者線端局装置は、前記擬似ランダム信号を出力するＰＲＢＳ送信部と、前記局側装置からの指示を受信する指示受信部とを含む構成を有し、
前記局側装置の前記指示作成部により光加入者線端局装置を指定して擬似ランダム信号送信を指示し、指定された光加入者線端局装置の前記ＰＲＢＳ送信部から前記局側装置に擬似ランダム信号を送信する過程と、
前記擬似ランダム信号を前記局側装置の前記ＰＲＢＳ受信部により受信してビットエラーレートを測定する過程と、
前記ビットエラーレートの測定結果に基づいて前記加入者線端局装置の送信光信号レベルの調整指示を前記指示作成部により作成して前記加入者線端局装置に送出する過程と、
前記光加入者線端局装置の前記指示受信部により前記送信光信号レベル調整指示を受信して、該送信光信号レベル調整指示に従った送信光信号レベルに制御する過程と
を含むことを特徴とする光信号送受信制御方法。
【請求項７】
局側装置と複数の光加入者線端局装置との間を、光カプラを介して光伝送路により接続し、光信号により送受信処理を行うＰＯＮシステムに於ける光信号送受信制御方法に於いて、
前記局側装置は、前記光加入者線端局装置を指定して擬似ランダム信号送信指示と出力レベル指示とを行う指示作成部と、前記擬似ランダム信号を受信してビットエラーレートを測定するＰＲＢＳ受信部とを含む構成を有し、前記光加入者線端局装置は、前記擬似ランダム信号を出力するＰＲＢＳ送信部と、前記局側装置からの指示を受信する指示受信部とを含む構成を有し、
前記局側装置の前記指示作成部により光加入者線端局装置を指定して擬似ランダム信号送信を指示し、指定された光加入者線端局装置の前記ＰＲＢＳ送信部から前記局側装置に擬似ランダム信号を送信する過程と、
前記擬似ランダム信号を前記局側装置の前記ＰＲＢＳ受信部により受信してビットエラーレートを測定する過程と、
前記ビットエラーレートの測定結果に基づいて前記加入者線端局装置から送信するフレームのヘッダ長調整指示を送信する過程と、
前記ヘッダ長調整指示を前記指示受信部により受信して、前記局側装置に送信するフレームのヘッダ長を調整する過程と
を含むことを特徴とする光信号送受信制御方法。
【発明の詳細な説明】
【技術分野】
【０００１】
本発明は、光信号により送受信を行うＰＯＮ（Ｐａｓｓｉｖｅ  Ｏｐｔｉｃａｌ  Ｎｅｔｗｏｒｋ）システム及び光信号送受信制御方法に関する。
【背景技術】
【０００２】
ＰＯＮシステムは、２００４年にＩＥＥＥ（Ｉｎｓｔｉｔｕｔｅ  ｏｆ  Ｅｌｅｃｔｉｉｃａｌ  ａｎｄ  Ｅｌｅｃｔｒｏｎｉｃ  Ｅｎｇｉｎｅｅｒｉｎｇ）に於いてＧｂｐｓの伝送速度のＧＥ−ＰＯＮとして標準化されている。又ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｉｏｎ  Ｓｅｃｔｏｒ）のＧ９８４によりＧ−ＰＯＮが標準化され、局側装置（ＯＬＴ；Ｏｐｔｉｃａｌ  Ｌｉｎｅ  Ｔｅｒｍｉｎａｌ）と、複数の光加入者線端局装置（ＯＮＵ；Ｏｐｔｉｃａｌ  Ｎｅｔｗｏｒｋ  Ｔｅｒｍｉｎａｌ）との間を、光カプラを介して光伝送路により接続し、時分割多重化伝送と同様な伝送方式により相互間で光信号により各種の情報伝送を行うものであり、更に高速伝送の１０Ｇ−ＥＰＯＮの標準化が行われている。
【０００３】
各種のＰＯＮシステムに於いて、各光加入者線端局装置（以下「ＯＮＵ」と略称する）は、局側装置（以下「ＯＬＴ」と略称する）から指定された送信タイミングに従って所定長のデータをバースト光信号により送信する。その場合に、各ＯＮＵからの送信タイミングは相違するから、光カプラに於いて時分割多重化された状態でＯＬＴへ送信される。又ＯＬＴからは、各ＯＮＵを指定するアドレスを付加したデータを時分割多重化して光信号により送信し、光カプラを介して各ＯＮＵに分配され、各ＯＮＵは、自アドレスが付加されたＯＬＴ側からのデータを分離して受信処理する。又ＯＬＴは、各ＯＮＵからの受信光信号パワーを監視し、必要に応じてＯＬＴからＯＮＵに対して出力パワーの変更を指示することができる。
【０００４】
又伝送速度を１０Ｇｂｉｔとした１０Ｇ−ＥＰＯＮに於いて、ＩＥＥＥ８０２．ａｖによる伝送フォーマットとして、ＯＮＵから送信するバースト光信号は、図８に示すように、光信号を送信するレーザの発光立上り時間Ｔｏｎは５１２ｎｓの時間長、バーストヘッダは最大長１．２ｎｓの時間長、バーストデリミタは６６ビット、データは、ＯＬＴからの割り当て時間長に対応したバイト数とする。又エンドオブバーストは１９８ビット、レーザの発光立下り時間Ｔｏｆｆは５１２ｎｓの時間長とするものであり、ＯＬＴに於いては、このバーストヘッダによりクロック同期引込みが行われて、その後のデータの受信識別を行うことになる。なお、このバーストヘッダの終了は、６６ビットのバーストデリミタにより識別される。
【０００５】
又ＯＬＴから各ＯＮＵに割り当てる送信タイミングを等間隔となるように指定する場合が一般的であり、その場合は、各ＯＮＵの送信情報量は同一となる。又送信情報量が多いＯＮＵからの要求により、ＯＬＴは、要求ＯＮＵに対する送信タイミングを繰り返し指定するか、又は送信許容時間を長くする指定を行うことになる。何れの場合も、それぞれ所定長の送信データにヘッダ等を付加した構成となる。特に連続した送信許容時間内の複数の送信データにそれぞれ同一のヘッダ等を付加して連結した構成とすると、同一のヘッダを繰り返し送信することになって無駄な送信時間を要することになる。そこで、送信データを連結してその前後にヘッダ等と共に連結情報量を示す情報を付加することにより、伝送効率を向上させる手段が提案されている（例えば、特許文献１参照）。
【０００６】
又各ＯＮＵは、それぞれ分散配置されたシステム構成が一般的であり、その場合に、ＯＬＴとの間の距離はそれぞれ相違することになる。このように、分散配置された各ＯＮＵのＯＬＴからの距離の差は、例えば、数ｋｍ程度が許容値となっている。従って、ＯＬＴと各ＯＮＵとの間の距離がそれぞれ相違することにより、ＯＬＴ及び各ＯＮＵの送信光レベルを同一としても、伝送距離に対応した減衰により、例えば、ＯＬＴに於いては、ＯＮＵ対応の受信光信号レベルがそれぞれ相違する。従って、ＯＬＴの受信機能部は、自動利得制御手段により、各ＯＮＵ対応の受信光信号レベルをそれぞれほぼ同一レベルとなるように増幅して、ＯＮＵ対応の受信光信号についての受信処理を行うことになる。そこで、ＯＬＴは、各ＯＮＵ対応のＯＬＴからの受信光レベル情報を収集し、基準受信光レベルに対する各ＯＮＵ対応の減衰率αを求め、各ＯＮＵ対応の光送信レベルを１／α倍とするように指示する。それにより、ＯＬＴに於ける各ＯＮＵからの受信光信号レベルはほぼ同一となり、自動利得制御手段の構成を簡単化し、且つ誤り率改善を図ることができる手段が提案されている（例えば、特許文献２参照）。
【先行技術文献】
【特許文献】
【０００７】
【特許文献１】特開２００３−０６９５９１号公報
【特許文献２】ＷＯ９８／１３９５９号公報
【発明の概要】
【発明が解決しようとする課題】
【０００８】
ＯＬＴと各ＯＮＵとの間で送受信するフレームは、例えば、ＥＰＯＮシステムに於いては、先頭に、フレーム開始分界点（ＳＦＤ；Ｓｔａｒｔ  ｏｆ  Ｆｒａｍｅ  Ｄｅｌｉｍｉｔｅｒ）を含む８バイトのプリアンブルと、６バイトの送信先アドレスと、６バイトの送信元アドレスと、２バイトのフレームタイプとフレーム長（Ｔｙｐｅ／Ｌｅｎｇｔｈ）を含むヘッダを送信データの先頭に付加し、その送信データの後部に誤りチェック（ＦＣＳ；Ｆｒａｍｅ  Ｃｈｅｃｋ  Ｓｅｑｕｅｎｃｅ）を付加した構成が知られており、ＯＬＴ内のクロックに従って各ＯＮＵ宛の送信フレームを所定のフレーム間隔で送信する。各ＯＮＵは、ＯＬＴの送信フレームのヘッダのプリアンブルからクロックを抽出して、クロック同期を確立し、自アドレスを付加したフレームを分離識別することにより受信処理する。又各ＯＮＵは、抽出したクロックに同期して送信処理を行うことができる。又各ＯＮＵは、ＯＬＴとの間の距離がそれぞれ相違する場合が一般的であり、従って、ＯＬＴに於ける各ＯＮＵからの受信フレームのクロック位相は相違することになるから、ＯＮＵ対応の受信フレームからクロックを再生して受信処理する必要がある。
【０００９】
このように、ＯＬＴに於いては、各ＯＮＵ対応の受信バースト光信号のクロックを抽出し、そのクロックを基にデータを受信処理する必要があり、その為に、バースト光信号の先頭にクロック抽出用の予め設定された長さのバーストヘッダが付加されている。このバーストヘッダからクロック抽出が行われることにより、バーストヘッダの後続のバーストデータを受信処理することができる。そこで、確実にクロックを受信再生する為に、クロック抽出用のバーストヘッダを長くすることが考えられる。しかし、送受信割り当て時間内にデータも伝送するものであるから、データ送信用の時間を短縮することになり、伝送効率が低下する問題が生じる。又ＯＮＵの送信パワーを大きくすることが考えられる。その場合は、必要以上の送信パワーとなる場合もあり、不必要な電力消費となって、省エネルギを推進すべき点から問題がある。このような各ＯＮＵに於ける光信号の送信パワーについて、前述の特許文献２に於いては、ＯＬＴに於ける受信光レベルが所定の範囲内となるように、各ＯＮＵに対して送信光レベルの制御を指示するものであり、伝送効率の向上及び省電力化に対しては考慮されていない。ＰＯＮシステムの普及により、ＯＮＵの設置個数は増加の傾向にあり、伝送効率の向上と共に消費電力の低減が要望されている。
【００１０】
本発明は、前述の従来の問題点を解決することを目的とし、ＯＮＵの省電力化を図り、且つＯＬＴに於けるＯＮＵからの受信クロック再生を容易にする構成及び制御方法を提供するものである。
【課題を解決するための手段】
【００１１】
本発明のＰＯＮシステムは、局側装置と複数の光加入者線端局装置との間を、光カプラを介して光伝送路により接続したＰＯＮシステムであって、光加入者線端局装置は、局側装置に対してビットエラーレート測定用の擬似ランダム信号を発生して送信するＰＲＢＳ送信部と、局側装置からの指示情報を受信する指示受信部と、光信号を送受信する光信号送受信部とを含む構成を備え、局側装置は、光加入者線端局装置からの擬似ランダム信号を受信してビットエラーレートを測定するＰＲＢＳ受信部と、このＰＲＢＳ受信部によるビットエラーレート測定結果を基に、光加入者線端局装置の送信制御の指示情報を送信する指示作成部と、光信号を送受信する光信号送受信部とを含む構成を備えている。
【００１２】
又前記局側装置は、指定した光加入者線端局装置からの擬似ランダム信号を受信してビットエラーレートを測定するＰＲＢＳ受信部と、このＰＲＢＳ受信部によるビットエラーレート測定結果に基づいて、光加入者線端局装置の光信号送受信部からの送信光信号レベルを指示する指示作成部とを含む構成を備えている。
【００１３】
又前記光加入者線端局装置は、局側装置の指示作成部からの指示情報を受信する指示受信部と、局側装置からのビットエラーレート測定用の擬似ランダム信号送信の指示情報に従って擬似ランダム信号を発生して送信するＰＲＢＳ送信部と、局側装置の指示作成部からの出力レベル制御指示の指示情報に従って、局側装置に対する光信号送受信部からの送信光信号レベルを制御する出力レベル調整部とを含む構成を備えている。
【００１４】
又前記局側装置は、指定した光加入者線端局装置からの擬似ランダム信号を受信してビットエラーレートを測定するＰＲＢＳ受信部と、このＰＲＢＳ受信部によるビットエラーレート測定結果に基づいて、光加入者線端局装置からのクロック再生用のヘッダ長を指示する指示作成部とを含む構成を備えている。
【００１５】
又前記光加入者線端局装置は、局側装置の指示作成部からの指示情報を受信する指示受信部と、局側装置からのビットエラーレート測定用の擬似ランダム信号送信の指示情報に従って擬似ランダム信号を発生して送信するＰＲＢＳ送信部と、局側装置の指示作成部からのクロック再生用のヘッダ長指示に従って、局側装置に送信するフレームに付加するヘッダ長を調整するヘッダ長調整部とを含む構成を備えている。
【００１６】
本発明の光信号送受信制御方法は、局側装置と複数の光加入者線端局装置との間を、光カプラを介して光伝送路により接続し、光信号により送受信処理を行うＰＯＮシステムに於ける光信号送受信制御方法であって、局側装置は、光加入者線端局装置を指定して擬似ランダム信号送信指示と出力レベル指示とを行う指示作成部と、擬似ランダム信号を受信してビットエラーレートを測定するＰＲＢＳ受信部とを含む構成を有し、光加入者線端局装置は、擬似ランダム信号を出力するＰＲＢＳ送信部と、局側装置からの指示を受信する指示受信部とを含む構成を有し、局側装置の指示作成部により光加入者線端局装置を指定して擬似ランダム信号送信を指示し、指定された光加入者線端局装置のＰＲＢＳ送信部から局側装置に擬似ランダム信号を送信する過程と、擬似ランダム信号を局側装置のＰＲＢＳ受信部により受信してビットエラーレートを測定する過程と、ビットエラーレートの測定結果に基づいて加入者線端局装置の送信光信号レベルの調整指示を、指示作成部により作成して加入者線端局装置に送出する過程と、光加入者線端局装置の指示受信部により送信光信号レベル調整指示を受信して、この送信光信号レベル調整指示に従った送信光信号レベルに制御する過程とを含むものである。
【００１７】
又局側装置と複数の光加入者線端局装置との間を、光カプラを介して光伝送路により接続し、光信号により送受信処理を行うＰＯＮシステムに於ける光信号送受信制御方法であって、局側装置は、光加入者線端局装置を指定して擬似ランダム信号送信指示と出力レベル指示とを行う指示作成部と、擬似ランダム信号を受信してビットエラーレートを測定するＰＲＢＳ受信部とを含む構成を有し、光加入者線端局装置は、擬似ランダム信号を出力するＰＲＢＳ送信部と、局側装置からの指示を受信する指示受信部とを含む構成を有し、局側装置の指示作成部により光加入者線端局装置を指定して擬似ランダム信号送信を指示し、指定された光加入者線端局装置のＰＲＢＳ送信部から局側装置に擬似ランダム信号を送信する過程と、擬似ランダム信号を局側装置のＰＲＢＳ受信部により受信してビットエラーレートを測定する過程と、ビットエラーレートの測定結果に基づいて加入者線端局装置から送信するフレームのヘッダ長調整指示を送信する過程と、ヘッダ長調整指示を指示受信部により受信して、局側装置に送信するフレームのヘッダ長を調整する過程とを含むものである。
【発明の効果】
【００１８】
複数の光加入者線端局装置と局側装置との間の伝送ビットエラーレート測定の為に、各光加入者線端局装置のＰＲＢＳ送信部から擬似ランダム信号を送信し、局側装置のＰＲＢＳ受信部により受信して、光加入者線端局装置対応のビットエラーレートを測定し、そのビットエラーレートを基に、光加入者線端局装置の送信光信号レベルを調整指示することにより、所望の伝送条件を維持可能の送信光信号レベルに維持することが可能となり、局側装置との間の距離が例えば短い位置の光加入者線端局装置は、伝送ビットエラーレートが低いから、送信光信号レベルを低減しても所望の伝送条件を維持することが可能となり、この光加入者線端局装置の消費電力を低減することができる。又伝送ビットエラーレートを基に、クロック抽出用のヘッダ長を制御することにより、伝送ビットエラーレートが低い場合は、短いヘッダ長として、データを伝送可能時間を延長して、伝送効率向上を図ることが可能となる。
【図面の簡単な説明】
【００１９】
【図１】本発明の実施例１の要部機能ブロック図である。
【図２】本発明の実施例１の制御動作概要説明図である。
【図３】本発明の実施例１の制御シーケンスの概要説明図である。
【図４】本発明の実施例１の制御フレーム説明図である。
【図５】本発明の実施例２の要部機能ブロック図である。
【図６】本発明の実施例２の制御動作概要説明図である。
【図７】本発明の実施例２の制御フレーム説明図である。
【図８】１０Ｇ−ＥＰＯＮの伝送フォーマットの説明図である。
【発明を実施するための形態】
【００２０】
本発明のＰＯＮシステムは、局側装置と複数の光加入者線端局装置との間を、光カプラを介して光伝送路により接続したＰＯＮシステムであって、光加入者線端局装置は、局側装置へビットエラーレート測定用の擬似ランダム信号を発生して送信するＰＲＢＳ送信部と、局側装置からの指示情報を受信する指示受信部と、光信号を送受信する光信号送受信部とを含む構成を備え、局側装置は、光加入者線端局装置からの擬似ランダム信号を受信してビットエラーレートを測定するＰＲＢＳ受信部と、このＰＲＢＳ受信部によるビットエラーレート測定結果を基に、光加入者線端局装置の送信制御の指示情報を送信する指示作成部と、光信号を送受信する光信号送受信部とを含む構成を備えている。
【００２１】
本発明の光信号送受信制御方法は、局側装置と複数の光加入者線端局装置との間を、光カプラを介して光伝送路により接続し、光信号により送受信処理を行うＰＯＮシステムに於ける光信号送受信制御方法であって、局側装置は、光加入者線端局装置を指定して擬似ランダム信号送信指示と出力レベル指示とを行う指示作成部と、擬似ランダム信号を受信してビットエラーレートを測定するＰＲＢＳ受信部とを含む構成を有し、前記光加入者線端局装置は、擬似ランダム信号を出力するＰＲＢＳ送信部と、局側装置からの指示を受信する指示受信部とを含む構成を有し、局側装置の指示作成部により光加入者線端局装置を指定して擬似ランダム信号送信を指示し、指定された光加入者線端局装置のＰＲＢＳ送信部から局側装置に擬似ランダム信号を送信する過程と、擬似ランダム信号を局側装置のＰＲＢＳ受信部により受信してビットエラーレートを測定する過程と、ビットエラーレートの測定結果に基づいて、加入者線端局装置の送信光信号レベルの調整指示を、指示作成部により作成して加入者線端局装置に送出する過程と、光加入者線端局装置の指示受信部により送信光信号レベル調整指示を受信して、この送信光信号レベル調整指示に従った送信光信号レベルに制御する過程とを含むものである。
【実施例１】
【００２２】
図１は、本発明の実施例１の要部機能ブロック図であり、ＯＬＴ１に対して光カプラ３を介して複数のＯＮＵ２を接続してＰＯＮシステムを構成する。ＯＬＴ１は、光信号送受信部１１と、直並列変換部１２と、アクセス制御部１３と、他のネットワークとの間で送受信するコア側機能部１４と、ＰＲＢＳ（Ｐｓｅｕｄｏ  Ｒａｎｄｏｍ  Ｂｉｔ  Ｓｅｑｕｅｎｃｅ；擬似ランダム信号）受信部１５と、指示作成部１６とを含む構成を有し、コア側機能部１４に図示を省略したネットワークを接続する。又ＯＮＵ２は、光信号送受信部２１と、直並列変換部２２と、アクセス制御部２３と、端末装置との間で送受信するＵＮＩ（Ｕｓｅｒ  Ｎｅｔｗｏｒｋ  Ｉｎｔｅｒｆａｃｅ）側機能部２４と、指示受信部２５と、ＰＲＢＳ（Ｐｓｅｕｄｏ  Ｒａｎｄｏｍ  Ｂｉｔ  Ｓｅｑｕｅｎｃｅ；擬似ランダム信号）送信部２６と、出力レベル調整部２７とを含む構成を有し、ＵＮＩ側機能部２４に図示を省略したユーザの端末装置等を接続する。
【００２３】
ＯＬＴ１の直並列変換部１２と、ＯＮＵ２の直並列変換部２２とは、光カプラ３を介して送受信する直列の高速伝送データと、内部で並列化して低速データとして処理する為の並列データとの相互間の変換処理を行うものであり、又ＯＬＴ１のコア側機能部１４と、ＯＮＵ２のＵＮＩ側機能部２４とに、それぞれ内部の並列データと、外部の送受信直列データとの間の並列直列変換並びに直列並列変換を行う図示を省略した直並列変換機能を備えている。又ＯＮＵ２は、ＯＬＴ１からの指示情報を受信する指示受信部２５と、その指示情報に従って、ビットエラーレート測定用の擬似ランダム信号ＰＲＢＳを送出するＰＲＢＳ送信部２６と、光信号送受信部２１の送信出力レベルを制御する出力レベル調整部２７とを含む構成を備えている。又ＯＬＴ１は、ＯＮＵ２からのＰＲＢＳを受信してビットエラーレートを測定するＰＲＢＳ受信部１５と、そのビットエラーレート測定結果に応じてＯＮＵ２の光信号出力レベル制御を指示する指示作成部１６とを含む構成を備えている。この場合、測定ビットエラーレートが所定の範囲内の場合は、ＯＬＴ１側からは無応答とするか、又は光信号出力レベルを現状維持の状態とする指示内容を送信する。又測定ビットエラーレートが所定の範囲より悪い場合は、光信号出力レベルを上昇させる指示内容とし、反対に所定の範囲より良い場合は、光信号出力レベルを低下させる指示内容とする。このように、ＯＮＵ２の光信号出力レベルの調整後に再度ＰＲＢＳ送信部２６からＰＲＢＳ送信指示を行って、所定の範囲内の測定ビットエラーレートとなったか否かの確認を行うことができる。なお、アクセス制御部１３，２３は、ＭＡＣ（Ｍｅｄｉａ  Ａｃｃｅｓｓ  Ｃｏｎｔｒｏｌ）として知られている送受信制御機能を備えている。
【００２４】
図２は、制御動作概要説明図であり、ＯＬＴ１とＯＮＵ２との間の制御動作の概要を示し、ＯＮＵ２は、ＯＬＴ１からの図示を省略した経路による指示に従って、ＰＲＢＳ送信部２６によりＢＥＲ測定フレームを作成して（１）、光信号送受信部２１からＯＬＴ１に対して送信する（２）。ＯＬＴ１は、ＰＲＢＳ受信部１５によりＢＥＲ測定フレームを受信し（３）、ＢＥＲ測定フレームによるＰＲＢＳを基にＢＥＲ測定を行って、その測定結果を指示作成部１６へ通知する（４）。指示作成部１６は、所定範囲内のＢＥＲか否かを判定し、その判定結果に対応した出力指示フレームを作成し（５）、光信号送受信部１１から出力指示フレームを送信する（６）。ＯＮＵ２は、この出力指示フレームを指示受信部２５により受信し（７）、出力レベル調整部２７へ転送する（８）。出力レベル調整部２７は、出力指示フレームによる出力指示に従って光信号送受信部２１の出力レベルを調整する（９）。光信号送受信部２１は、この出力レベル調整によるデータ送信を開始する（１０）。
【００２５】
このＢＥＲ測定処理及びＯＮＵ２の出力レベル制御は、システム立上げ時、通信再開時等と共に、任意の時間間隔で実行し、ＢＥＲ測定結果に応じて、光信号送受信部２１の出力レベルを調整し、ＯＬＴ１側のクロック再生を確実化し、ＯＮＵ２の送信出力レベルを所定範囲に制御することにより、正常な送受信処理を必要最小限の送信電力により実行して、多数のＯＮＵ２の省電力化を図ると共に、ＰＯＮシステムの安定運用を図ることが可能となる。なお、前述の１０Ｇ−ＥＰＯＮの規格のＩＥＥＥ８０２．３ａｖに於いて、ビットエラーレートは、受信感度−２８ｄＢｍに於いて１０−３以下になることが要求されており、エラー訂正機能による訂正後に、１０−１２以下にビットエラーレートを向上させることが要望されている。
【００２６】
図３は、制御シーケンスの概要説明図であり、ＯＮＵは、ＯＬＴからの指示に従って、ＯＬＴに対してＰＲＢＳパターンを含む測定フレームを送信する。ＯＬＴは、この測定フレームを受信してそのＢＥＲを前述のＰＲＢＳ受信部１５により受信してビットエラーレートを測定し、このビットエラーレートＢＥＲが所定範囲内か否かを判定し、所定範囲よりＢＥＲが小さい場合、ＯＬＴは、ＯＮＵからの光信号を充分なパワーで受信可能の状態を示すから、ＯＮＵの送信出力パワーを低下させる為の出力指示フレームを送信する。反対に、所定範囲よりＢＥＲが大きい場合は、ＯＬＴに於けるＯＮＵからの受信光信号レベルが低いことにより受信エラーが多発することを示すから、ＯＬＴの送信出力パワーを上昇させる為の出力指示フレームを送信する。ＯＮＵは、このＯＬＴからの指示に従って光信号送受信部２１の出力パワーを制御する。即ち、図１に示すＯＮＵ２の指示受信部２５によりＯＬＴ１からの送信出力レベルの指示内容を受信し、出力レベル調整部２７に通知し、光信号送受信部２１の光信号出力用のレーザダイオードの出力レベルの制御を行う。それによって、ＯＮＵ２の光信号送受信部２１の光信号出力用レーザダイオードを最適なパワーで駆動して、ＯＬＴ１に於ける受信ビットエラーレートを所定範囲とし、且つＯＮＵ２に於ける電力消費の最適化を図ることができる。
【００２７】
図４は、制御フレームの説明図であり、ＯＬＴからＯＮＵに対する出力調整指示を行う場合の一例を示すものであり、右側の数値は、バイト数の一例を示し、０／４，０／２は０バイトか４バイト又は２バイトを適用出来ることを示す。例えば、送信先アドレスＤＡ（Ｄｅｓｔｉｎａｔｉｏｎ  ａｄｄｒｅｓｓ）(６バイト）と、送信元アドレスＳＡ（Ｓｏｕｒｃｅ  ａｄｒｅｓｓ（６バイト）と、レングス及びタイプ（Ｌｅｎｇｔｈ  ｔｙｐｅ）（２バイト）と、オペレーションコード（Ｏｐｃｏｄｅ）（２バイト）と、タイムスタンプ（Ｔｉｍｅｓ  ｓｔａｍｐ）（４バイト）と、許可グループ数及びフラグ数（Ｎｕｍｂｅｒ  ｏｆ  ｇｒａｎｔｓ／ｆｌａｇｓ）（４バイト）と、それぞれ許可する＃１〜＃４の送信開始時刻とデータの長さ（Ｇｒａｎｔ  ＃１  ｓｔａｒｔ  ｔｉｍｅ），（Ｇｒａｎｔ  ＃１  ｌｅｎｇｔｈ）〜（Ｇｒａｎｔ  ＃４  ｓｔａｒｔ  ｔｉｍｅ），（Ｇｒａｎｔ  ＃４  ｌｅｎｇｔｈ）と、同期時間（Ｓｙｎｃ  ｔｉｍｅ）と、出力調整指示と、パッド又はリザーブ（Ｐａｄ／Ｒｅｓｅｒｖｅｄ）（１３〜３９バイト）と、フレームチェックコード（ＦＣＳ）（４バイト）との構成を有する場合を示し、太枠で示す出力調整指示の領域により、ＯＬＴからＯＮＵを送信先アドレスＤＡにより指定して、そのＯＮに対する出力レベル制御指示を行う。
【実施例２】
【００２８】
図５は、本発明の実施例２の要部機能ブロック図であり、図１と同一符号は同一名称部分を示し、２８はヘッダ長調整部を示す。このヘッダ長調整部２８は、ＯＬＴへ送信するフレームの先頭のクロック抽出用バーストヘッダ長を調整するものであり、前述のように、クロック抽出の為には長い方が良いが、データ領域が狭くなる。そこで、前述の実施例１と同様に、ＯＬＴ１からＯＮＵ２を指定して、ＰＲＢＳ送信部２６からのＰＲＢＳ信号送信を指示し、ＰＲＢＳ送信部２６からの擬似ランダム信号をＯＬＴ１に送信し、ＯＬＴ１のＰＲＢＳ受信部１５により受信して、ビットエラーレートを測定し、所定範囲内のビットエラーレートか否かを判定し、ビットエラーレートが所定範囲より大きい場合は、クロック抽出用バーストヘッダを長くするように指示し、ビットエラーレートが所定範囲より小さい場合は、クロック抽出用バーストヘッダを短くするように指示する。それにより、ＯＮＵ２は、必要最小限のヘッダ長とし、データ送信可能時間の延長を可能として伝送効率を向上することができる。
【００２９】
図６は、制御動作概要説明図であり、図５に示す構成に基づくＯＬＴ１とＯＮＵ２との間の制御動作の概要を示し、ＯＮＵ２は、ＯＬＴ１からの図示を省略した経路による指示に従って、ＰＲＢＳ送信部２６によりＢＥＲ測定フレームを作成して（１）、光信号送受信部２１からＯＬＴ１に対して送信する（２）。ＯＬＴ１は、ＰＲＢＳ受信部１５によりＯＮＵ２からのＢＥＲ測定フレームを受信し（３）、ＢＥＲ測定フレームによるＰＲＢＳを基にＢＥＲ測定を行って、その測定結果を指示作成部１６へ通知する（４）。指示作成部１６は、所定範囲内のＢＥＲか否かを判定し、その判定結果に対応したヘッダ長指示フレームを作成し（５）、光信号送受信部１１からヘッダ長指示フレームを送信する（６）。ＯＮＵ２は、このヘッダ長指示フレームを指示受信部２５により受信し（７）、ヘッダ長調整部２８へ転送する（８）。このヘッダ長調整部２８は、ヘッダ長指示フレームによる指示に従って光信号送受信部２１にバーストヘッダ長の調整の結果を通知する（９）。光信号送受信部２１は、このバーストヘッダ長を調整したデータ送信を開始する（１０）。このＢＥＲ測定処理は、システム立上げ時、通信再開時等と共に、任意の時間間隔で実行し、ＢＥＲ測定結果に応じて、光信号送受信部２１からＯＬＴ１へ送信するバーストヘッダ長を調整設定する。それにより、ＯＬＴ１側の受信ビットエラーレートが基準値より低い場合は、バーストヘッダ長を長くして、ＯＬＴ１に於けるクロック再生を容易とし、反対に受信ビットエラーレートが基準値より高い場合は、バーストヘッダ長を短くして、データ伝送用の時間を延長可能とし、伝送効率の向上を図ることができる。
【００３０】
図７の（Ａ）〜（Ｄ）は、フレーム形式の説明図であり、（Ａ）は、前述の実施例２に於けるＯＬＴからＯＮＵに対するバースト長調整指示のフレーム構成の一例を示し、それぞれの右側の数値はバイト数を示す。この図７の（Ａ）は、前述の実施例２に於けるＯＬＴ１の指示作成部１６からＯＮＵ２へ送信するバースト長調整指示フレームを示し、前述の図４に於けるフレームに於ける「出力調整指示」を、「バースト長調整指示」とした場合に相当し、ＯＬＴからＯＮＵに対して、クロック再生に必要な最小限のバースト長を通知する。このバースト長調整指示フレームを受信したＯＮＵ２（図５参照）は、ヘッダ長調整部２８によりアクセス制御部２３へ通知し、送信バーストフレームのバーストヘッダ長の制御処理を行い、伝送条件が良い場合は、バーストヘッダ長を短くして伝送効率を向上し、伝送条件が悪い場合は、バーストヘッダ長を長くして、ＯＬＴに於けるクロック再生を確実化し、それにより再送処理を回避することも可能となる。
【００３１】
又図７の（Ｂ）〜（Ｄ）は、ディスカバリプロセスに於けるフレーム構成の例を示し、（Ｂ）は、ＯＮＵからＯＬＴに対するレジスタ  リクエスト（Ｒｅｇｉｓｔｅｒ  Ｒｅｑｕｅｓｔ）フレームに、ＦＲＢＳ（ＰＲＢＳ送信部２６（図１及び図５参照）からの擬似ランダム信号）を含ませて送信する場合を示し、同図の（Ａ）のフレームの各項目と略同様であるが、ディスカバリインフォメーション（Ｄｉｓｃｏｖｅｒｙ  ｉｎｆｏｒｍａｔｉｏｎ）と、レーザ立上り時間（Ｌａｓｅｒ  Ｏｎ  ｔｉｍｅ）（Ｔｏｎ；図８参照）とレーザ立下り時間（Ｌａｓｅｒ  Ｏｆｆ  ｔｉｍｅ）（Ｔｏｆｆ；図８参照）とを含む場合を示す。即ち、ＯＮＵの新規接続時に、Ｐ２ＭＰディスカバリの登録要求（Ｒｅｇｉｓｔｅｒ  Ｒｅｑｕｅｓｔ）フレームに、ＯＮＵのＰＲＢＳ送信部２６（図５参照）から発生させた擬似ランダム信号（ＰＲＢＳ）を、「ＰＲＢＳ」として示すように、ＯＮＵからＯＬＴへ送信することにより、光信号伝送路のビットエラーレートがどの程度かをＯＬＴ側で検出可能とする場合を示す。
【００３２】
又図７の（Ｃ）は、ＯＮＵの新規接続時に、Ｐ２ＭＰディスカバリのレジスタ  リクエスト（Ｒｅｇｉｓｔｅｒ  Ｒｅｑｕｅｓｔ）フレームを用い、「出力調整指示」を含ませた構成のフレームで送信する場合を示し、図７の（Ａ），（Ｂ）と同一の項目を含むと共に、「Ａｓｓｉｇｎｅｄ  ｍｏｄｅ」，「Ｓｙｎｃ  ｔｉｍｅ」，「Ｅｃｈｏｅｄ  ｐｅｎｄｉｎｇ  ｇｒａｎｔｓ」の項目を含む場合を示す。又図７の（Ｄ）は、前述の（Ｃ）に示すフレームと同様であるが、出力調整指示の項目の代わりに「バースト長調整指示」を含ませた構成のフレームで送信する場合を示す。即ち、ＯＬＴは、ＯＮＵの新規接続時に、他のＯＮＵとの間の伝送状態を参照して、ＯＮＵに対する出力調整指示或はバースト長調整指示を送信することができる。
【符号の説明】
【００３３】
１  ＯＬＴ
２  ＯＮＵ
３  光カプラ
１１  光信号送受信部
１２  直並列変換部
１３  アクセス制御部
１４  コア側機能部
１５  ＰＲＢＳ受信部
１６  指示作成部
２１  光信号送受信部
２２  直並列変換部
２３  アクセス制御部
２４  ＵＮＩ側機能部
２５  指示受信部
２６  ＰＲＢＳ送信部
２７  出力レベル調整部
２８  ヘッダ長調整部
【図１】
2011160022.tif 000003
【図２】
2011160022.tif 000004
【図３】
2011160022.tif 000005
【図４】
2011160022.tif 000006
【図５】
2011160022.tif 000007
【図６】
2011160022.tif 000008
【図７】
2011160022.tif 000009
【図８】
2011160022.tif 000010